(57)【特許請求の範囲】
【請求項１】
遊技盤の前面側の遊技領域に設けられる弾球遊技機の遊技部品であって、
前記遊技盤の前面側に沿うように正逆回転可能に設けられ、第１球受容部と間隙部とが交互に複数個ずつ設けられた球経路振り分け手段と、
略水平姿勢で設けられたステージ部と、該ステージ部の下方に設けられた左右振り分け手段と、該左右振り分け手段の前端部の下方の特定の入賞口の上方位置を除く部分に垂下されると共に下端が前記球経路振り分け手段の内周に沿って湾曲形成されたカバー部とを備え、前記球経路振り分け手段に遊技球を誘導可能に設けられた球誘導手段と、
内周面と前記球経路振り分け手段の間隙部とにより前記第１球受容部と異なる周長を有する第２球受容部が形成され、前記内周面の下部に段差部が形成され、該段差部より下方部分の内周面が後方に向かって傾斜して形成され、特定の入賞口の真上の最下部において前方に傾斜する球排出溝が形成された球経路振り分け手段収容部と、
を備えており、
前記球経路振り分け手段が正逆いずれか一方向に回転している場合、前記左右振り分け手段により左右いずれか一方向に振り分けられて前記第１球受容部に入球した遊技球は前記球経路振り分け手段と共に回転されて前記特定の入賞口の真上の前記カバー部のない最下端付近から前記遊技領域に排出される特定経路に振り分けられ、前記左右振り分け手段により前記第１球受容部に入球した遊技球と同方向に振り分けられて前記第２球受容部に入球した遊技球は前記球経路振り分け手段と共に回転されて特定の入賞口の真上で前記球排出溝から前記遊技領域に排出される特定経路に振り分けられ、
前記球経路振り分け手段が正逆いずれか他方向に回転している場合、前記左右振り分け手段により左右いずれか一方向に振り分けられて前記第１球受容部に入球した遊技球は前記特定の入賞口の斜め上方の前記カバー部のない位置から前方の前記遊技領域に排出されて前記特定経路より前記特定の入賞口に入賞し難い一般経路に振り分けられ、前記左右振り分け手段により前記第１球受容部に入球した遊技球と同方向に振り分けられて前記第２球受容部に入球した遊技球は前記段差部と前記第１球受容部の側壁とに挟まれて前方の前記遊技領域に押し出されて前記特定経路より前記特定の入賞口に入賞し難い一般経路に振り分けられるように構成されていることを特徴とする弾球遊技機の遊技部品。
【発明の詳細な説明】
【技術分野】
【０００１】
本発明は、パチンコ遊技機等の弾球遊技機の遊技部品に関し、特に、回転することにより遊技球の経路を振り分け可能な手段を備えた弾球遊技機の遊技部品に関する。
【背景技術】
【０００２】
従来、図柄表示装置を備えたパチンコ遊技機が広く親しまれている。この種の図柄表示装置付きパチンコ遊技機では、遊技盤前面の遊技領域に設けられた始動入賞口に遊技球が入賞することを契機として、図柄表示装置において所要の図柄変動表示がなされ、その図柄の停止態様に応じて遊技者に有利な遊技状態が付与されるようになっている。このように、図柄表示装置付きのパチンコ遊技機では、始動入賞口への遊技球の入賞を契機とした図柄表示装置における図柄変動態様又は図柄停止態様が遊技の主たる興趣となっているため、近年では、図柄表示装置の大型化が進んでいる。
【０００３】
しかしながら、図柄表示装置が大型化すると、遊技領域の大部分が図柄表示装置及びその周囲に配置された遊技部品により占有され、始動入賞口への遊技球の入賞ルートが制限されてしまうため、遊技球の転動を楽しむというパチンコ遊技機本来の遊技性を喪失させるおそれがあった。
【０００４】
そのため、遊技部品に、遊技球が通過可能な球流路とその球流路を通過した遊技球が転動可能なステージ部とを設け、球流路からステージ部を通って始動入賞口へ入賞する遊技球の新たな入賞ルートを備えたパチンコ遊技機が提案されており、さらに最近では、遊技球を高い確率で始動入賞口に入賞させる特定経路をステージ部に形成させたパチンコ遊技機が提案されている（例えば、特許文献１，２参照）。
【特許文献１】特開２００１−７０５３７号公報
【特許文献２】特許第３２３１９８０号公報
【発明の開示】
【発明が解決しようとする課題】
【０００５】
しかしながら、このようにステージ部に特定経路を形成させたパチンコ遊技機では、遊技機の前後方向への傾斜角度に応じて特定経路に案内される割合が変化してしまうといった問題があった。すなわち、パチンコ遊技機は、通常、４分５厘（約１度）の後傾角で遊技島に設置されるようになっており、その設置角度の調整は、人間の手作業で行われることが多いため、各遊技機毎に設置角度にばらつきが生じ、ステージ部の傾斜角度が遊技機毎に変化し、特定経路へ案内する割合が設計値から大きく外れるおそれがあった。そのため、出球率を調整することが難しく、例えば、設計値に対して特定経路へ案内する割合の高い遊技機では、遊技釘を調整したとしても始動入賞口への入賞率を下げることが難しく、遊技店に営業上の損害を与えるおそれがあるといった問題があった。
【０００６】
本発明は、上記した課題を解決すべくなされたものであり、遊技機の設置角度により始動入賞口等、特定の入賞口への入賞率が変化することがなく、出球率の調整が容易な弾球遊技機の遊技部品を提供するものである。
【課題を解決するための手段】
【０００７】
本発明は、遊技盤１の前面側の遊技領域３に設けられる弾球遊技機の遊技部品８であって、遊技盤１の前面側に沿うように正逆回転可能に設けられた球経路振り分け手段２５と、球経路振り分け手段２５に遊技球２７を誘導可能に設けられた球誘導手段２８とを備えており、球経路振り分け手段２５は、正逆いずれか一方向に回転している時には、球誘導手段２８により誘導された遊技球２７を遊技領域３に設けられた特定の入賞口１０に入賞し易い特定経路に振り分け、他方向に回転している時には、球誘導手段に２８より誘導された遊技球２７を前記特定経路より前記特定の入賞口１０に入賞し難い一般経路に振り分け可能なように構成されていることを特徴とする。
【０００８】
そして、好ましくは、球経路振り分け手段２５には、第１球受容部７４と、第１球受容部７４と異なる周長を有する第２球受容部７６とが交互に複数個ずつ設けられており、各第１球受容部７４同士及び各第２球受容部７６同士はそれぞれ同一形状を成しているのがよい。
【０００９】
また、球誘導手段２８は、遊技球２７が転動可能なステージ部８４と、ステージ部８４に誘導された遊技球２７を左右の球経路振り分け手段２５に振分け可能な左右振分け手段８５とを備えていてもよい。
【発明の効果】
【００１０】
本発明によれば、球経路振り分け手段において遊技球が特定経路と一般経路に確実に振り分けられるため、弾球遊技機の設置角度により出球率がばらつくことがなく、出球率の調整が容易となる等、種々の優れた効果を得ることができる。
【発明を実施するための最良の形態】
【００１１】
以下、図面を参照しつつ、本発明の実施の形態について説明する。なお、以下の説明では、本発明をパチンコ遊技機に適用した場合について説明する。
【００１２】
先ず、図１及び図２により、パチンコ遊技機の概略構成について説明する。ここで、図１はそのパチンコ遊技機の遊技盤１の正面図を示し、図２はその遊技盤１の背面図を示している。
【００１３】
この遊技盤１の前面側には、ガイドレール２が環状に取付けられ、ガイドレール２の内側に遊技領域３が形成されている。遊技領域３には、その略中央部に図柄表示装置１６の表示部４が配置されており、図柄表示装置の表示部４には、正面左側から左図柄５、中図柄６、右図柄７が表示されるようになっている。また、図柄表示装置の表示部４の周りには飾り体８が設けられ、飾り体８には、表示部４の各図柄５，６，７を視認可能なように矩形状の図柄表示領域透視部９が形成されている。さらに、飾り体８の下方の遊技領域３には、始動入賞口１０及び大入賞口１１が配置され、始動入賞口１０には始動入賞検出器１２が取付けられ、大入賞口１１には特定領域（Ｖゾーン）と一般領域とが区画形成され、その特定領域及び一般領域にはそれぞれ特定領域通過検出器１３、一般領域通過検出器１７が取付けられている。また、飾り体８の後面には、各種中継基板１４，１５が設けられている。
【００１４】
次に、図３〜図１２を参照しつつ、本発明の第１の実施の形態に係る飾り体８について説明する。ここで、図３は飾り体８を示す分解斜視図、図４は図１のＡ−Ａ矢視図、図５は図１のＢ−Ｂ矢視図、図６は飾り体８を示す正面図、図７は飾り体８の内部構造を示す正面図、図８は飾り体８の内部構造を示す背面図、図９（ａ）及び図９（ｂ）は飾り体８の要部の動作を示す断面図、図１０（ａ）及び図１０（ｂ）は飾り体８の要部の動作を示す断面図、図１１は飾り体８の遊技制御装置の構成を示すブロック図、図１２は飾り体８の回転駆動機構の動作を示すチャート図である。
【００１５】
本実施の形態に係る飾り体８は、周縁部に穿設された複数の取付孔２１を介してネジ止め等の固定手段により遊技盤１に固定される前方ベース体２２と、前方ベース体２２の後方に設けられる後方ベース体２３と、後方ベース体２３に取り付けられる回転駆動機構２４と、回転駆動機構２４の動作により遊技盤１の前面側に沿うように左右両方向に正逆回転可能に設けられる球経路振り分け手段２５と、回転駆動機構２４の前面側に設けられる内カバー体２６と、内カバー体２６及び前方ベース体２２の各上部を覆うように設けられる外カバー体１９と、球経路振り分け手段２５に遊技球２７を誘導可能なように設けられる球誘導手段２８と、回転駆動機構２４の動作を所望に制御可能な遊技制御装置２０の役物（遊技部品）制御手段２９とを主体に構成されている。
【００１６】
前方ベース体２２には、前後に扁平な円柱形状の球経路振り分け手段収容部３０が開口されており、球経路振り分け手段収容部３０の内周面には左右下部の同一位置に段差部３２が形成され、段差部３２より下方部分の内周面３１は後方に向かって僅かに傾斜して形成されている。また、球経路振り分け手段収容部３０の最下部には前方に僅かに傾斜する球排出溝３３が形成されており、球排出溝３３はこの場合の特定の入賞口である始動入賞口１０の真上に位置するようになっている。さらに、球経路振り分け手段収容部３０の前面側には全周に渡って拡幅部３４が段差状に形成されている。
【００１７】
後方ベース体２３には、略中央部に矩形の図柄表示装置貫設穴３５が開口されており、図柄表示装置貫設穴３５の上方には、中央にモータ取付ベース３６が形成されている。また、後方ベース体２３には、モータ取付ベース３６の正面右側にセンサ取付ベース３７が形成されていると共に、モータ取付ベース３６の正面左側に予備センサ取付ベース３８が形成されており、さらに、モータ取付ベース３６の上方には、円弧状にスリット孔３９が形成されている。
【００１８】
一方、後方ベース体２３の図柄表示装置貫設穴３５の下方には、両側にステージ部後端支持溝部４０が対向するように形成されていると共にその各ステージ部後端支持溝部４０の間に位置決め孔４１が２個穿設されている。また、その位置決め孔４１の下方には、左右振り分け手段係合突部４２が形成されており、さらに、その左右振り分け手段係合突部４２の下方には、円弧状の検出片嵌設孔４３が形成されている。
【００１９】
また、後方ベース体２３の周縁部には、上下に左右２個ずつ、ローラ体４４，４５が設けられており、そのうち、上側の２個のローラ体４４はねじりバネ４６により内方に付勢されている。そして、上下のローラ体４４，４５はいずれも、半円筒状の取付ベース４７と、取付ベース４７に固着される軸部４８と、軸部４８に枢着される第１ローラ４９及び第２ローラ５０とから構成されており、第１ローラ４９と第２ローラ５０とが嵌合することにより溝付ローラ５１が形成されるようになっている。
【００２０】
回転駆動機構２４は、モータ取付ベース３６に固定される回転体駆動モータ５５と、回転体駆動モータ５５の回転軸に固着される駆動ギア５６と、内周部が駆動ギア５６に歯合すると共に外周部が上下４個のローラ体４４，４５により保持される環状ギア体５７と、センサ取付ベース３７に固定される第１フォトセンサ５８及び第２フォトセンサ５９の各回転体モータセンサと、環状ギア体５７の後面に取り付けられる補強用リング６０とを主体に構成されており、環状ギア体５７と補強用リング６０により回転体５２が形成されるようになっている。
【００２１】
環状ギア体５７は、中心角が１２０°の円弧状部材６１を３個連結することにより環状に形成されており、各円弧状部材６１の前面側には球経路振り分け手段嵌合溝６２が円弧状に形成され、球経路振り分け手段嵌合溝６２の両端部にそれぞれ球経路振り分け手段固定溝６３が形成されている。そして、環状ギア体５７には、その内周に沿って鍔状の第１センサ検出片６４が環状に形成され、第１センサ検出片６４には径方向に第１スリット孔６５が１個形成されている。また、第１センサ検出片６４の前面側には環状のギア部６６が内側に向かって形成されており、ギア部６６は駆動ギア５６と歯合可能となっている。さらに、第１センサ検出片６４の後面側には環状の第２センサ検出片６７が後方に突設され、第２センサ検出片６７の上部及び下部はそれぞれスリット孔３９及び検出片嵌設孔４３に嵌設しており、第２センサ検出片６７には前後方向に所要数、例えば、１２個の第２スリット孔６８が形成されている。
【００２２】
第１フォトセンサ５８は発光部６９と受光部７０との間を第１センサ検出片６７が通過可能なように外方に向けてセンサ取付ベース３７に固定されており、第２フォトセンサ５９はその発光部と受光部との間を第２センサ検出片６７が通過可能なように前方に向けてセンサ取付ベース３７に固定されている。なお、本実施の形態においては、第１フォトセンサ５８のみを使用する場合について主体に説明する。
【００２３】
球経路振り分け手段２５には、前方ベース体２２の球経路振り分け手段収容部３０の内周面に沿って環状のベース部７１が設けられており、ベース部７１の後面側には球経路振り分け手段嵌合溝６２及び球経路振り分け手段固定溝６３に対応する位置にそれぞれ嵌合片部７２及び突起部７３が後方に突設されている。そして、嵌合片部７２及び突起部７３がそれぞれ球経路振り分け手段嵌合溝６２及び球経路振り分け手段固定溝６３に嵌合することにより、球経路振り分け手段２５が環状ギア体５７に固定されるようになっている。
【００２４】
また、ベース部７１の前面側には、所要数（図示では１２個）の第１球受容部７４が間隙部７５を介して前方に突設されていると共に、各間隙部７５と球経路振り分け手段収容部３０の内周面とにより第２球受容部７６が形成され、第１球受容部７４と第２球受容部７６とが交互に形成されるようになっている。そして、各第１球受容部７４同士はそれぞれ同一形状を成しており、第１球受容部７４には、円弧状に湾曲すると共に前方に傾斜した球転動部７７と、球転動部７７の両端部から内方に延出する側壁７８と、球転動部７７の前端部から外方に延出する垂壁７９とが形成され、垂壁７９は前方ベース体２２の拡幅部３４に沿うように形成されている。一方、第２球受容部７６は第１球受容部７４と異なる周長を有しており、各第２球受容部７６同士はそれぞれ同一形状を成している。
【００２５】
内カバー体２６は、球経路振り分け手段２５の内周に沿うように外周が円形を成し、上部には回転体駆動モータ５５が遊貫可能な逃げ開口部８１が形成されている。そして、内カバー体２６はネジ止め等の固定手段により後方ベース体２３に固定され、回転駆動機構２４の回転体駆動モータ５５を除く主要な構成部品の前面側を覆うようになっている。また、内カバー体２６には、逃げ開口部８１の下方に開口部８０が形成されており、開口部８０は、上部が図柄表示領域透視部９として機能し、下部が左右振り分け手段収容部８２として機能するようになっている。
【００２６】
球誘導手段２８は、図柄表示領域透視部９の左右側方の前方ベース体２２の前面からその中央側斜め下方の内カバー体２６の前面に渡って取り付けられた左右一対の球流路５３，５４と、図柄表示領域透視部９と左右振り分け手段収容部８２との境界に沿って略水平姿勢で設けられたステージ部８４と、ステージ部８４の下方に設けられた左右振り分け手段８５とから構成されている。
【００２７】
各球流路５３，５４は、上端に形成された球入口８６と、球入口８６から中央側に傾斜する第１流路８７と、第１流路８７より緩い勾配でステージ部８４に向かって傾斜する第２流路８８と、第２流路８８の下端に形成された球出口８９とを備えており、取付孔９０を介してそれぞれ前方ベース体２２及び内カバー体２６にビス止め等の固定手段により固定されるようになっている。また、各球流路５３，５４の球出口８９の下方にはそれぞれ、ステージ部前端支持溝９１が形成されている。
【００２８】
ステージ部８４は、略矩形平面を成しており、その後端部には、後方に突出する位置決め突起９２が形成されていると共に両側角部に後端支持部９３が段差状に形成されている。そして、位置決め突起９２を位置決め孔４１に嵌合し、後端支持部９３をステージ部後端支持溝部４０に挿入することにより、ステージ部８４が略水平姿勢に保持されるようになっている。また、ステージ部８４は、遊技球２７が転動可能なように僅かに下方に湾曲しており、上面には、外側から第１転動面９４、楕円形の第２転動面９５、円形の中央転動面９６がそれぞれ形成されており、中央転動面９６には左右に同一径の球導入孔９７，９８が穿設されている。
【００２９】
一方、ステージ部８４の前端部には、正面左側に第１転動面９４から第２転動面９５に渡って平面視三角形状の球案内突部９９が突設されていると共に、正面右側に第１転動面９４から第２転動面９５に掛けて直線状の球案内路１００が傾斜して形成されており、球案内突部９９から球案内路の前面側には球落下防止壁１０１が立設されている。また、ステージ部８４の前端部の両側角部には、前端支持部１０２が形成されており、前端支持部１０２は各球流路５３，５４のステージ部前端支持溝９１に挿入可能となっている。
【００３０】
左右振り分け手段８５は、左右振り分け手段係合突部４２に嵌設した状態で左右振り分け手段収容部８２に収容され、ネジ止め等の固定手段により後方ベース体２３に固定されるようになっている。左右振り分け手段８５の上面には、ステージ部８４の球導入孔９７，９８に対応した位置に球入口部１０３，１０４が形成され、球入口部１０３，１０４から左右外方に向かってそれぞれ左側振り分け流路１０５、右側振り分け流路１０６が傾斜して形成され、左側振り分け流路１０５及び右側振り分け流路１０６の下端にそれぞれ球出口部１０７，１０８が形成されている。また、左右振り分け手段８５の前端部の中央部１０９を除く部分には、左側カバー部１１０、右側カバー部１１１が垂下されており、左側カバー部１１０、右側カバー部１１１の下端は球経路振り分け手段２５の内周に沿って湾曲形成されている。
【００３１】
役物（遊技部品）制御手段２９は、図１１に示すように、回転体モータセンサである第１フォトセンサ５８の検出信号に基づき回転体駆動モータ５５を制御可能な回転体駆動制御手段１１２を備えており、回転体駆動制御手段１１２は、さらに、回転体５２の回転方向を正逆切り換え制御するための方向切換制御手段１１３を備えている。そして、回転体５２は、役物（遊技部品）制御手段２９により、左右両方向に同一速度で正逆回転制御されるようになっている。
【００３２】
次に、本実施の形態に係るパチンコ遊技機の動作について説明する。
【００３３】
遊技者により弾球された遊技球２７は、遊技領域３を落下する過程において球流路５３又は５４の球入口８６に入球すると、第１流路８７、第２流路８８を通過し、球出口８９からステージ部８４に転がり出る。そして、正面左側の球流路５３より右方向に向かって転がり出た遊技球２７は、第１転動面９４を通って球案内突部９９に衝突し、後方に方向転換した後、第２転動面９５及び中央転動面９６を転動し、左右いずれか一方の球導入孔９７，９８に入球する。一方、正面右側の球流路５４より左方向に向かって転がり出た遊技球２７は、球案内路１００を転動後、中央転動面９６を転動し、左右いずれか一方の球導入孔９７，９８に入球する。
【００３４】
このようにして、遊技球２７が、例えば、正面左側の球導入孔９７に入球した場合、球入口部１０３から左側振り分け流路１０５を通過し、球出口部１０７から左側の球経路振り分け手段２５に振り分けられ、第１球受容部７４又は第２球受容部７６に入球する。この時、中央転動面９６が左右対称形状を成していると共に、球導入孔９７，９８が同一径を有しているため、遊技球２７は左右に均等に振分けられる。
【００３５】
また、この間、球経路振り分け手段２５は回転体５２と共に、遊技制御装置２０の役物（遊技部品）制御手段２９によりその回転方向を制御されている。すなわち、回転体５２が正面視時計回りで正回転している時に、第１フォトセンサ５８の発光部６９と受光部７０の間を第１センサ検出片６７の第１スリット孔６５が通過すると、図１２に示すように、第１フォトセンサ５８から回転体駆動制御手段１１に検出信号が送られ、回転体制御手段１１の方向切換制御手段１１３は、回転体駆動モータ５５を減速後、停止させる。そして、回転体駆動モータ５５が停止して所定時間、例えばｔ秒間経過すると、方向切換制御手段１１３は、回転体駆動モータ５５を今度は反時計回りに始動、回転させ、回転体５２を所定速度で反時計回りに逆回転させる。この場合、回転体５２が１回転し、第１フォトセンサ５８が第１スリット孔６５を検出する度に、回転体５２の回転方向が正逆切り換えられるようになる。また、回転体駆動制御手段１１は、回転体駆動モータ５５が始動後、所定速度に達する迄に要する時間ｔ２より、回転体駆動モータ５５が減速し、停止する迄に要する時間ｔ１が長くなるように、回転体駆動モータを制御しているため、回転体駆動モータ５５の耐久性を向上させることができる。
【００３６】
そして、図９（ａ）において実線で示すように、球経路振り分け手段２５が正面視反時計回り（左回り）で逆回転している時に遊技球２７が第２受容部７６に入球すると、段差部３２より下方の内周面３１は後方に向かって僅かに傾斜しているため、その遊技球２７は、前方に落下することなく、球経路振り分け手段２５と共に回転し、最下端において球排出溝３３に落下した後、遊技領域３に排出される。その後、球排出溝３３から排出された遊技球２７は、球排出溝３３が始動入賞口１０の真上に位置しているため、極めて高い確率で始動入賞口１０に入賞する。このように、左側に振り分けられた遊技球２７は、球経路振り分け手段２５が逆回転している時に第２球受容部７６に入球した場合、始動入賞口１０に入賞し易い特定経路を通過する。
【００３７】
また、図９（ｂ）において実線で示すように、球経路振り分け手段２５が正面視時計回り（右回り）で正回転している時に遊技球２７が第２受容部７６に入球すると、その遊技球２７は段差部３２によりその動きを拘束され、段差部３２と第１球受容部７４の側壁７８に挟まれ、前方の遊技領域３に押し出される。そして、遊技球２７は、前記特定経路を通過した場合より低い確率で始動入賞口１０に入賞する。このように、遊技球２７は、球経路振り分け手段２５が正回転している時に第２球受容部７６に入球した場合、特定経路より始動入賞口１０に入賞し難い一般経路を通過する。
【００３８】
さらに、図１０（ａ）及び（ｂ）において実線で示すように、球経路振り分け手段２５が逆回転している時に遊技球２７が第１受容部７４に入球すると、その遊技球２７は、左側カバー部１１０により前方への落下を阻止されるため、球経路振り分け手段２５と共に回転し、左側カバー部１１０のない最下端付近において前方に落下し、遊技領域３に排出される。この場合、遊技球２７の落下位置は、始動入賞口１０のほぼ真上に位置しているため、極めて高い確率で始動入賞口１０に入賞する。このように、左側に振り分けられた遊技球２７は、球経路振り分け手段２５が正回転している時に第１球受容部７４に入球した場合、始動入賞口１０に入賞し易い特定経路を通過する。
【００３９】
また、球経路振り分け手段２５が正回転している時に遊技球２７が第１受容部７４に入球すると、その遊技球２７は、左側カバー部１１０により前方への落下を阻止されるため、球経路振り分け手段２５と共に回転し、左側カバー部１１０のない位置において前方に落下し、遊技領域３に排出される。この場合、遊技球２７の落下位置は、始動入賞口１０の左側上方になるため、前記特定経路を通過した場合より低い確率で始動入賞口１０に入賞する。このように、遊技球２７は、球経路振り分け手段２５が正回転している時に第１球受容部７４に入球した場合、特定経路より始動入賞口１０に入賞し難い一般経路を通過する。
【００４０】
一方、遊技球２７が、例えば、正面右側の球導入孔９８に入球した場合、球入口部１０４から右側振り分け流路１０６を通過し、球出口部１０８から右側の球経路振り分け手段２５に振り分けられ、第１球受容部７４又は第２球受容部７６に入球する。
【００４１】
そして、図９（ａ）において二点鎖線で示すように、球経路振り分け手段２５が正回転している時に遊技球２７が第２受容部７６に入球すると、段差部３２より下方の内周面３１は後方に向かって僅かに傾斜しているため、その遊技球２７は、前方に落下することなく、球経路振り分け手段２５と共に回転し、最下端において球排出溝３３に落下した後、遊技領域３に排出される。その後、球排出溝３３から排出された遊技球２７は、球排出溝３３が始動入賞口１０の真上に位置しているため、極めて高い確率で始動入賞口１０に入賞する。このように、右側に振り分けられた遊技球２７は、球経路振り分け手段２５が正回転している時に第２球受容部７６に入球した場合、始動入賞口１０に入賞し易い特定経路を通過する。
【００４２】
また、図９（ｂ）において二点鎖線で示すように、球経路振り分け手段２５が逆回転している時に遊技球２７が第２受容部７６に入球すると、その遊技球２７は段差部３２によりその動きを拘束され、段差部３２と第１球受容部７４の側壁７８に挟まれ、前方の遊技領域３に押し出される。そして、遊技球２７は、前記特定経路を通過した場合より低い確率で始動入賞口１０に入賞する。このように、遊技球２７は、球経路振り分け手段２５が逆回転している時に第２球受容部７６に入球した場合、特定経路より始動入賞口１０に入賞し難い一般経路を通過する。
【００４３】
さらに、図１０（ａ）及び（ｂ）において二点鎖線で示すように、球経路振り分け手段２５が正面視時計回り（右回り）で正回転している時に遊技球２７が第１受容部７４に入球すると、その遊技球２７は、右側カバー部１１１により前方への落下を阻止されるため、球経路振り分け手段２５と共に回転し、右側カバー部１１１のない最下端付近において前方に落下し、遊技領域３に排出される。この場合、遊技球２７の落下位置は、始動入賞口１０の真上に位置しているため、極めて高い確率で始動入賞口１０に入賞する。このように、左側に振り分けられた遊技球２７は、球経路振り分け手段２５が正回転している時に第１球受容部７４に入球した場合、始動入賞口１０に入賞し易い特定経路を通過する。
【００４４】
また、球経路振り分け手段２５が逆回転している時に遊技球２７が第１受容部７４に入球すると、その遊技球２７は、右側カバー部１１１により前方への落下を阻止されるため、球経路振り分け手段２５と共に回転し、右側カバー部１１１のない位置において前方に落下し、遊技領域３に排出される。この場合、遊技球２７の落下位置は、始動入賞口１０の右側上方になるため、前記特定経路を通過した場合より低い確率で始動入賞口１０に入賞する。このように、遊技球２７は、球経路振り分け手段２５が逆回転している時に第１球受容部７４に入球した場合、特定経路より始動入賞口１０に入賞し難い一般経路を通過する。
【００４５】
以上のように、ステージ部８４に導かれた遊技球２７は、ステージ部８４に球案内突部９９、球案内路１００、及び球落下防止壁１０１が形成されているため、確実に中央転動面９６に案内され、しかも、中央転動面９６が左右対称形状を成し、球導入孔９７，９８が同一径を有しているため、遊技球２７は左右の球経路振り分け手段２５に均等に振分けられる。また、左側カバー部１１０、右側カバー部１１１が形成されており、段差部３２より下方の内周面３１が後方に向かって僅かに傾斜しているため、第１球受容部７４、第２球受容部７６に入球した遊技球２７は、役物（遊技部品）制御手段２９による回転体５２の制御に従って、前記特定流路と前記一般流路のいずれかに確実に振分けられる。したがって、パチンコ遊技機の遊技島への設置角度がばらついたとしても、前記特定流路と前記一般流路への入球割合が変化することはなく、釘の調整がし易く、出球率の調整が容易となる。
【００４６】
また、弾球された遊技球２７が、直接、ステージ部８４に落下する場合もあるが、その場合でも、球流路５３，５４を通過した場合と同様に、前記特定流路及び前記一般流路に均等に振り分けられる。
【００４７】
このように、遊技球２７が、球流路５３，５４を介して球誘導手段２８から前記特定流路又は前記一般流路を通って、或いは、球流路５３，５４を通過することなく球誘導手段２８から前記特定流路又は前記一般流路を通って始動入賞口１０に入賞した場合、始動入賞検出器１２が遊技球２７の始動入賞口１０への入賞を検出し、その検出信号が遊技制御装置２０に送られる。そして、遊技制御装置２０は、この検出信号に基づいて図柄始動信号を送信し、この図柄始動信号により、図柄表示装置１６において図柄の変動表示が開始される。この時、遊技球２７の始動入賞口１０への入賞を始動入賞検出器１２が検出する度に、図柄の変動・停止がそれぞれ１回ずつ行われるが、図柄の変動表示中に遊技球２７の始動入賞口１０への入賞を始動入賞検出器１２が検出した場合、保留ランプ（図示せず）が点灯し、遊技者にそのことを報知する。そして、図柄変動表示中に始動入賞検出器１２で検出された遊技球２７の数は最大４個まで記憶され、その図柄の変動・停止動作が終り次第、保留ランプの数に相当する回数分の図柄の変動・停止が順次行われる。
【００４８】
上記したように、図柄表示装置１６において図柄の変動表示が開始され、所定時間経過後、遊技制御装置２０は、例えば、左図柄５と右図柄７の図柄が揃うと判断した場合、遊技がリーチ状態にあることを報知し、遊技者に期待感を抱かせる。
【００４９】
その後、遊技制御装置２０は、左図柄５、中図柄６、右図柄７のすべての図柄が揃うと判断した場合、遊技が大当り状態にあることを報知し、通常遊技から特別遊技（大当り遊技）に移行する。
【００５０】
このように特別遊技に突入すると、大入賞口１１が開放され、その大入賞口１１に遊技球２７が入賞した場合には１５球の賞球が遊技者に払い出される。大入賞口１１は、開放してから３０秒経過するか、又は１０球の入賞があるかのいずれかの事象が発生した場合に一旦閉鎖するが、大入賞口１１が開放している間に、特定領域（Ｖゾーン）への入賞があった場合には、大入賞口１１は再度開放される。そして、大入賞口１１は、最大１６回連続して開放することが可能となっており、大入賞口１１が１６回開放し終えるか、或いは大入賞口１１の開放中に前記特定領域（Ｖゾーン）への入賞を特定領域通過検出器１３が検出しなかった場合には、特別遊技は終了する。
【００５１】
なお、上記第１の実施の形態では、第１センサ検出片６４に第１スリット孔６５を１個設けた場合について説明したが、第１スリット孔６５を２個設けてもよい。この場合、図１３に示すように、回転体制御手段１１の方向切換制御手段１１３は、第１フォトセンサ５８からの１番目の第１スリット孔６５の検出信号により、回転体駆動モータ５５を減速開始させ、２番目の第１スリット孔６５の検出信号により、回転体駆動モータ５５を停止させる。そして、回転体駆動モータ５５が停止して所定時間、例えばｔ秒間経過すると、方向切換制御手段１１３は、回転体駆動モータ５５を今度は反対方向に始動、回転させ、回転体５２を所定速度で逆回転させる。この場合、方向切換制御手段１１３は、回転体５２の回転方向を切り換えた直後の第１フォトセンサ５８からの第１スリット孔６５の検出信号を２回分、無視する。
【００５２】
これにより、第１スリット孔６５が１個の場合と同様に、回転体５２が１回転する度に、回転体５２の回転方向を正逆反対に切り換えることができ、また、回転体駆動モータ５５が始動後、所定速度に達する迄に要する時間ｔ２より、回転体駆動モータ５５が減速し、停止する迄に要する時間ｔ１が長くなるように、回転体駆動モータ５５を制御することができる。そして、この場合には、第１スリット孔６５が２個設置されている分、回転体駆動モータ５５の回転駆動モータ５５の制御をより高精度に行うことができる。
【００５３】
また、上記第１の実施の形態においては、第２フォトセンサ５９を使用していないが、この第２フォトセンサ５９により第２センサ検出片６７の第２スリット孔６８を検出し、回転体５２を制御することもできる。この場合、第２センサ検出片６７には中心角３０°ピッチで１２個の第２スリット孔６８が形成されているため、例えば、正回転時には６番目の第２スリット孔６８（すなわち、１８０°回転後の第２スリット孔６８）のみを検出し、逆回転時には１２番目の第２スリット孔６８（すなわち、３６０°回転後の第２スリット孔６８）のみを検出する等、正回転の場合と逆回転の場合とで第２フォトセンサ５９の第２スリット孔６８の検出ピッチを変えることにより、単に、回転体５２を交互に同一角度回転させるだけでなく、回転体５２の多種多様な回転制御を行なうことができ、遊技球２７の前記特定経路と前記一般経路への振り分け割合を所望な割合にいろいろと変化させることができる。
【００５４】
また、ステージ部８４の中央転動面９６の左側の球導入孔９７の直径（例えば、１４ｍｍ）を右側の球導入孔９８の直径（例えば、１２ｍｍ）より大きくすると共に、図１４に示すように、遊技制御装置２０の役物（遊技部品）制御手段２９に条件達成判定手段１１４を設け、条件達成判定手段１１４が所定の条件を満たしていると判定した場合には、回転体５２の正回転速度が逆回転速度より遅い遊技者にとって不利な通常状態から、回転体５２の正回転速度が逆回転速度より速い遊技者にとって有利な特別状態へと移行するように構成してもよい。そして、このように、遊技者にとって不利な通常状態と、遊技者にとって有利な特別状態とを創出することにより、遊技者に新たな興趣を提供することができ、遊技性の向上を図ることができる。
【００５５】
より具体的には、図１５（ａ）に示すように、条件達成判定手段１１４に特別図柄停止態様判定手段１１５を設け、図柄表示装置１６の表示部４の図柄が予め設定された特定の図柄、例えば、「３３１」となった場合に、通常状態から特別状態に移行させたり、或いは、図１５（ｂ）に示すように、条件達成判定手段１１４に単位時間計時手段１１６、入賞口入賞数記憶手段１１７、及び入賞率演算手段１１８を設け、単位時間計時手段１１６により計時した単位時間当たりの始動入賞口１０への入賞数を入賞口入賞数記憶手段１１７に記憶させると共に、その記憶した入賞数に基づき、入賞率演算手段１１８において入賞率を演算し、その入賞率が所定の割合より高い場合又は低い場合に、通常状態から特別状態に移行させたり、或いは、図１５（ｃ）に示すように、条件達成判定手段１１４に単位時間計時手段１１６、特別遊技回数記憶手段１１９、及び単位時間当たり特別遊技回数比較手段１２０を設け、単位時間計時手段１１６により計時した単位時間当たりの特別遊技回数を特別遊技回数記憶手段１１９に記憶させ、その記憶した特別遊技回数が所定の回数より高い又は低いと単位時間当たり特別遊技回数比較手段１２０が判定した場合に、通常状態から特別状態に移行させたり、或いは、図１５（ｄ）に示すように、条件達成判定手段１１４に単位時間計時手段１１６、確率変動回数記憶手段１２１、及び単位時間当たり確率変動回数比較手段１２２を設け、単位時間計時手段１１６により計時した単位時間当たりの特別遊技回数を確立変動回数記憶手段１２１に記憶させ、その記憶した確率変動回数が所定の回数より高い又は低いと単位時間当たり確率変動回数比較手段１２２が判定した場合に、通常状態から特別状態に移行させたりしてもよい。さらにまた、上記した各条件以外の他の条件下において、通常状態から特別状態に移行するように構成してもよい。
【００５６】
なお、この場合、遊技制御装置２０には、図１４に示すように、役物（遊技部品）制御手段２９の他、図柄制御手段１２３、特別遊技判定実行手段１２４が設けられており、図柄制御手段１２３には、図柄変動記憶手段１２５及び停止図柄決定手段１２６が設けられ、特別遊技判定実行手段１２４には、特別領域通過判定手段１２７を備えた特別遊技移行判定手段１２８及び大入賞口開閉駆動制御手段１２９を備えた特別遊技実行手段１３０が設けられている。
【００５７】
また、この場合、左右の球導入孔９７，９８を同一径とすると共に、ステージ部８４の傾斜に変化を付け、球導入孔９７，９８に対する遊技球２７の導入率が左右で異なるように構成してもよい。
【００５８】
上記したように、本発明によれば、通常遊技状態時に所定条件の達成によって、確率変動や時短モード等の特定遊技状態と同じような特定状態を創出することができるため、遊技内容が多様化し、遊技を長時間続けても遊技者の興味をパチンコゲームに強く引きつけ、且つ興趣を起こさせることが可能となる。また、釘の調整をすることなく、特定の入賞口への入賞率の調整を行なうことが可能となり、作業の簡素化を図ることができる。
【００５９】
次に、図１６及び図１７を参照しつつ、本発明の第２の実施の形態に係る飾り体について説明する。なお、上記した第１の実施の形態に係る飾り体８と同様の構成については、説明の簡略化のため、図１６及び図１７中、図１〜図１２と同一の符号を付し、その構成及び動作に関する詳細な説明は省略する。ここで、図１６は本実施の形態における遊技盤を示す正面図、図１７は遊技盤の主要部を示す正面図である。
【００６０】
先ず、図１６により、本実施の形態におけるパチンコ遊技機の概略構成について説明する。
【００６１】
この遊技盤１の遊技領域３には、図柄表示装置１６の表示部４の周りに飾り体１４１が設けられており、この飾り体１４１の上方に始動入賞口１０が配設されている。また、飾り体１４１の下方中央には、大入賞口１１が配設されており、飾り体１４１と大入賞口１１との間には、左右両側から大入賞口１１に向かって傾斜するように、それぞれ所要数（図示では左右４個ずつ）の釘１４２が配設されている。
【００６２】
次に、図１６及び図１７を参照しつつ、飾り体１４１について説明する。
【００６３】
この飾り体１４１には、遊技盤１の前面側に沿って左右両方向に正逆回転可能に設けられた円形の回転体１４３が設けられており、回転体１４３に図柄表示領域透視部９が開口されている。図柄表示領域透視部９は、遊技者にとって有利な特別状態（図１６に示す状態）において、正面視Ｖ型を成すように形成されており、図柄表示領域透視部９により回転体１４３には、上下に対向するように２種類のステージ部１４４，１４５が形成されるようになっている。
【００６４】
そのうち一方のステージ部１４４は、前記特別状態の時に遊技球２７を受け容れ可能なように形成されており、その上面は左右外側から中央の球排出溝１４６に向かって傾斜して形成され、さらに、球排出溝１４６は前方に下傾して形成されている。また、他方のステージ部１４５は、遊技者にとって不利な通常状態（図１７に示す状態）の時に遊技球２７を受け容れ可能なように形成されており、その上面は中央から左右外側に向かって傾斜していると共に前方に傾斜して形成されている。
【００６５】
次に、本実施の形態に係るパチンコ遊技機の動作について説明する。
【００６６】
遊技者により弾球された遊技球２７が遊技領域３を落下する過程において始動入賞口１０に入賞すると、図柄表示装置１６において図柄の変動表示が開始されると共に、回転体１４３が回転する。そして、表示部４の左図柄５、中図柄６、右図柄７のすべての図柄が揃うと判断された場合、通常遊技から特別遊技（大当り遊技）に移行し、大入賞口１１が開放されると共に、回転体１４３は遊技者にとって有利な特別状態（図１６参照）又は遊技者にとって不利な通常状態（図１７参照）のいずれかの状態で停止する。
【００６７】
そして、図１６に示すように、回転体１４３が前記特別状態で停止した場合、ステージ部１４４に受け容れられた遊技球２７は、ステージ部１４４の傾斜に従って中央の球排出溝１４６に誘導され、その球排出溝１４６から前方の遊技領域３に排出される。その後、球排出溝１４６から排出された遊技球２７は、球排出溝１４６が大入賞口１１の真上に位置しているため、極めて高い確率で大入賞口１１に入賞する。このように、回転体１４３が前記特別状態で停止している時にステージ部１４４に受け容れられた遊技球２７は、大入賞口１１に入賞し易い特定経路を通過する。
【００６８】
一方、図１７に示すように、回転体１４３が前記通常状態で停止した場合、ステージ部１４５に受け容れられた遊技球２７は、ステージ部１４５の傾斜に従って左右外側から前方の遊技領域３に排出される。この場合、遊技球２７は、その排出箇所が大入賞口１１の真上から外れたところになるため、例えば、釘１４２に当たりながら、前記特定経路を通過した場合より低い確率で大入賞口１１に入賞する。このように、回転体１４３が前記通常状態で停止している時にステージ部１４５に受け容れられた遊技球２７は、特定経路より大入賞口１１に入賞し難い一般経路を通過する。
【００６９】
このように、前記特定経路又は前記一般経路を通って、或いは、ステージ部１４４，１４５を通らずに直接、遊技球２７が大入賞口１１に入賞すると、１５球の賞球が遊技者に払い出される。大入賞口１１は、開放してから３０秒経過するか、又は１０球の入賞があるかのいずれかの事象が発生した場合に一旦閉鎖するが、大入賞口１１が開放している間に、特定領域（Ｖゾーン）への入賞があった場合には、大入賞口１１は再度開放される。そして、大入賞口１１は、最大１６回連続して開放することが可能となっており、大入賞口１１が１６回開放し終えるか、或いは大入賞口１１の開放中に前記特定領域（Ｖゾーン）への入賞を特定領域通過検出器１３が検出しなかった場合には、特別遊技は終了する。
【００７０】
上記したように、本発明の実施の形態に係る飾り体１４１によれば、遊技状態に応じて回転体１４３を回転させることにより２種類のステージ部１４４，１４５を入れ替え、大入賞口１１への入賞率を変化させることができるため、遊技者に新しい興趣を与え、遊技性の向上を図ることができ、また、これにより、出球率の調整が可能となり、射倖性を抑止することができる。
【００７１】
なお、上記した第２の実施の形態では、回転体１４３に２種類のステージ部１４４，１４５を設けているが、３種類以上のステージ部を設けてもよく、ステージ部の種類が多いほど、遊技性の興趣を高めることができる。
【００７２】
また、ステージ部は、上記した形状や構造に限定されるものではなく、遊技球２７を一旦貯留可能なように形成させ、遊技者の釦操作等によりステージ部を稼動させ、その貯留した遊技球２７を遊技領域３に排出可能なように構成させる等、各種変更が可能である。
【００７３】
さらに、回転体１４３を回転させたり、停止させたりするタイミングは、上記したタイミングに限定されるものではなく、例えば、図柄表示装置９の表示部４の図柄が予め設定された特定の図柄になった時や、確率変動時や、小当り時に設定する等、各種変更が可能である。また、大当たりのラウンド（１〜１６ラウンド）毎に何らかの契機（例えば、特定の入賞口への入賞のタイミング）によって抽選して通常状態や特別状態を創出してもよく、この場合、ラウンド毎に遊技者に選択ボタンを押させて抽選させるようにしてもよい。さらに、大当たり中、通常状態と特別状態間の切り換えが一定時間経過後に行なわれるようにしたり、或いは、通常状態か特別状態かを大当たりのラウンド毎に予め設定した切り替えテーブルを複数用意しておき、大当たり時に抽選することにより、若しくは、遊技者の抽選により、それらの複数のテーブルから１つのテーブルを選択するように構成してもよい。
【００７４】
さらにまた、図１８に示すように、条件達成判定手段１４７を設け、条件達成判定手段１４７に単位時間計時手段１４８、発射球数計数手段１４９、賞球払出数計数手段１５０、出球率演算手段１５１、出球率比較判定手段１５２を設け、単位時間計時手段１４８により計時した単位時間当たりの発射球数及び賞球払出数をそれぞれ発射球数計数手段１４９及び賞球払出数計数手段１５０が計数し、その計数した発射球数及び賞球払出数に基づき、出球率演算手段１５１が出球率を演算し、その出球率が所定の割合より高いか又は低いかを出球率比較判定手段１５２が判定し、その判定結果に基づき、通常状態から特別状態、或いは特別状態から通常状態に移行させることもできる。そして、これにより、単位時間当たりの出球率や全体の出球率を調整することができ、射倖性を抑止することができる。
【００７５】
また、回転体１４３の回転方向は、必ずしも左右両方向である必要はなく、左右いずれか一方向であってもよい。
【００７６】
さらにまた、始動入賞口１０をステージ部１４４，１４５の下方に配置し、回転体１４３の回転により、その始動入賞口１０に対する遊技球２７の入賞率に変化を与えるように構成してもよい。
【００７７】
なお、上記第１及び第２の実施の形態における大当たり時の賞球数、大入賞口１１の開放時間、ラウンド継続回数は単なる例示であり、これらに限定する趣旨ではない。
【００７８】
また、上記第１及び第２の実施の形態においては、本発明をパチンコ遊技機に適用した場合について説明したが、これは単なる例示に過ぎず、本発明は、アレンジボール遊技機等、上記したパチンコ遊技機以外の弾球遊技機にも適用可能であることは言う迄もない。
【図面の簡単な説明】
【００７９】
【図１】本発明の第１の実施の形態における遊技盤を示す正面図である。
【図２】本発明の第１の実施の形態における遊技盤を示す背面図である。
【図３】本発明の第１の実施の形態に係る弾球遊技機の飾り体を示す分解斜視図である。
【図４】図１のＡ−Ａ矢視図である。
【図５】図１のＢ−Ｂ矢視図である。
【図６】本発明の第１の実施の形態に係る弾球遊技機の飾り体を示す正面図である。
【図７】本発明の第１の実施の形態に係る弾球遊技機の飾り体の内部構造を示す正面図である。
【図８】本発明の第１の実施の形態に係る弾球遊技機の飾り体の内部構造を示す背面図である。
【図９】（ａ）及び（ｂ）は、本発明の第１の実施の形態に係る弾球遊技機の飾り体の動作を示す断面図である。本発明の第１の実施の形態に係る弾球遊技機の飾り体の作用を示す側面側断面図である。
【図１０】（ａ）及び（ｂ）は、本発明の第１の実施の形態に係る弾球遊技機の飾り体の動作を示す断面図である。
【図１１】本発明の第１の実施の形態における遊技制御装置の構成を示すブロック図である。
【図１２】本発明の第１の実施の形態に係る弾球遊技機の飾り体の回転駆動機構の動作を示すチャート図である。
【図１３】本発明の第１の実施の形態に係る弾球遊技機の飾り体の別の例の動作を示すチャート図である。
【図１４】本発明の第１の実施の形態における遊技制御装置の構成の別の例を示すブロック図である。
【図１５】本発明の第１の実施の形態における遊技制御装置の構成の別の例を示すブロック図である。
【図１６】本発明の第２の実施の形態における遊技盤を示す正面図である。
【図１７】本発明の第２の実施の形態における遊技盤の主要部を示す正面図である。
【図１８】本発明の第２の実施の形態における条件達成判定手段の構成を示すブロック図である。
【符号の説明】
【００８０】
１          遊技盤
３          遊技領域
４          表示部
８          飾り体
１０        始動入賞口
１１        大入賞口
１６        図柄表示装置
２５        球経路振り分け手段
２７        遊技球
２８        球誘導手段
２９        役物制御手段
７４        第１球受容部
７６        第２球受容部
８４        ステージ部
８５        左右振り分け手段
９７        球導入孔
９８        球導入孔
１４１      飾り体
１４３      回転体
１４４      ステージ部
１４５      ステージ部
１４６      球排出溝
【図１】
0004641385.tif 000002
【図２】
0004641385.tif 000003
【図３】
0004641385.tif 000004
【図４】
0004641385.tif 000005
【図５】
0004641385.tif 000006
【図６】
0004641385.tif 000007
【図７】
0004641385.tif 000008
【図８】
0004641385.tif 000009
【図９】
0004641385.tif 000010
【図１０】
0004641385.tif 000011
【図１１】
0004641385.tif 000012
【図１２】
0004641385.tif 000013
【図１３】
0004641385.tif 000014
【図１４】
0004641385.tif 000015
【図１５】
0004641385.tif 000016
【図１６】
0004641385.tif 000017
【図１７】
0004641385.tif 000018
【図１８】
0004641385.tif 000019